(57)【要約】  【課題】ユーザーに楽曲を購入すべきかどうかを十分に吟味させることができる楽曲配信システムを提供すること。  【解決手段】楽曲データの配信サービスの授受を実施するための楽曲配信システムにおいて、楽曲データの送信要求に応答して、楽曲データを送信要求者であるユーザー端末装置１へ送信する楽曲データ送信手段をサーバー１１へ装備し、その使用が制限された、楽曲データの再生権限を示す使用制限付き再生キーを送信する再生キー送信手段を放送局２１へ装備し、使用制限付き再生キー、及びその使用制限付き再生キーの使用制限情報に基づいて、使用制限の範囲内で楽曲データの再生を制御する再生制御手段をユーザー端末装置１へ装備する。  【選択図】  図４
2007025088.tif 000002
【特許請求の範囲】
【請求項１】
楽曲データの配信サービスの授受を実施するための楽曲配信システムにおいて、
前記楽曲データの送信要求に応答して、前記楽曲データを送信要求者へ送信する楽曲デ
ータ送信手段と、
その使用が制限された、前記楽曲データの再生権限を示す使用制限付き再生キーを送信
する再生キー送信手段と、
前記使用制限付き再生キー、及び該使用制限付き再生キーの使用制限情報に基づいて、
使用制限の範囲内で前記楽曲データの再生を制御する再生制御手段とを備えると共に、
前記楽曲データ送信手段が、楽曲配信装置に装備されるものであり、
前記再生キー送信手段が、前記楽曲配信装置とは異なる楽曲配信補助装置に装備される
ものであり、
前記再生制御手段が、楽曲データ再生装置に装備されるものであることを特徴とする楽
曲配信システム。
【請求項２】
前記使用制限情報に、前記使用制限付き再生キーの使用可能期間が含まれ、
前記再生制御手段が、前記使用可能期間内に限定して前記楽曲データを再生するもので
あることを特徴とする請求項１記載の楽曲配信システム。
【請求項３】
前記使用制限付き再生キーが、各楽曲毎、又は各楽曲が属するグループ毎に設定されて
いることを特徴とする請求項１又は請求項２記載の楽曲配信システム。
【請求項４】
前記再生キー送信手段が、放送波に乗せて前記使用制限付き再生キーを送信するもので
あることを特徴とする請求項１〜３のいずれかの項に記載の楽曲配信システム。
【請求項５】
前記使用制限付き再生キーを乗せた放送波を受信する受信手段と、
該受信手段で受信した放送波に乗っていた前記使用制限付き再生キーを蓄積手段に格納
する格納手段とを備えると共に、
前記受信手段と前記格納手段とが、前記楽曲データ再生装置に装備されるものであるこ
とを特徴とする請求項４記載の楽曲配信システム。
【請求項６】
前記受信手段が、複数のチャンネルから送信される放送波を一度に受信可能に構成され
ていることを特徴とする請求項５記載の楽曲配信システム。
【請求項７】
ユーザーが操作する入力手段を介して入力された選択情報に基づいて、前記蓄積手段へ
格納すべき前記使用制限付き再生キーの送信元を１つ又は２つ以上設定する送信元設定手
段を備えると共に、
前記格納手段が、前記送信元設定手段により設定された送信元からの放送波に乗ってい
た前記使用制限付き再生キーだけを前記蓄積手段に格納するものであり、
前記送信元設定手段が、前記楽曲データ再生装置に装備されるものであることを特徴と
する請求項６記載の楽曲配信システム。
【請求項８】
前記再生キー送信手段が、その使用制限を示す前記使用制限情報を付加して前記使用制
限付き再生キーを送信するものであることを特徴とする請求項１〜７のいずれかの項に記
載の楽曲配信システム。
【請求項９】
前記楽曲データの購入要求に応答して、使用制限の解除権限を示す解除権限情報を購入
要求者へ送信する解除権限情報送信手段と、
前記解除権限情報に基づいて、前記使用制限情報を無効とする無効手段とを備えると共
に、
前記解除権限情報送信手段が、前記楽曲配信装置に装備されるものであり、
前記無効手段が、前記楽曲データ再生装置に装備されるものであることを特徴とする請
求項１〜８のいずれかの項に記載の楽曲配信システム。
【請求項１０】
請求項１〜９のいずれかの項に記載の楽曲配信システムを構成する前記楽曲配信装置で
あって、
前記楽曲データの送信要求に応答して、前記楽曲データを要求者へ送信するものである
ことを特徴とする楽曲配信装置。
【請求項１１】
請求項１〜９のいずれかの項に記載の楽曲配信システムを構成する前記楽曲配信補助装
置であって、
その使用が制限された、前記楽曲データの再生権限を示す前記使用制限付き再生キーを
送信するものであることを特徴とする楽曲配信補助装置。
【請求項１２】
請求項１〜９のいずれかの項に記載の楽曲配信システムを構成する前記楽曲データ再生
装置であって、
前記使用制限付き再生キー、及び該使用制限付き再生キーの使用制限情報に基づいて、
使用制限の範囲内で前記楽曲データの再生を制御するものであることを特徴とする楽曲デ
ータ再生装置。
【請求項１３】
楽曲データの配信サービスの授受を実施するための楽曲配信方法において、
その使用が制限された、前記楽曲データの再生権限を示す使用制限付き再生キー、及び
該使用制限付き再生キーの使用制限情報に基づいて、使用制限の範囲内で前記楽曲データ
の再生を制御し、
前記楽曲データの送信元と、前記使用制限付き再生キーの送信元とを異なるものにする
ことを特徴とする楽曲配信方法。
【発明の詳細な説明】
【技術分野】
【０００１】
本発明は楽曲配信システム、楽曲配信装置、楽曲配信補助装置、楽曲データ再生装置、
及び楽曲配信方法に関し、より詳細には、インターネットなどのネットワークを介して、
楽曲を配信するための楽曲配信システム、該楽曲配信システムを構成する楽曲配信装置、
楽曲配信補助装置、楽曲データ再生装置、及び楽曲配信方法に関する。
【背景技術】
【０００２】
従来、音楽を聴くには、ＣＤ等の楽曲データが記録されたメディアを購入し、購入した
メディアをプレーヤーへセットし、メディアに記録されている楽曲データを再生するとい
うのが主流であった。また、ＣＤ等の販売店には、ＣＤを試聴させてくれるサービスを提
供しているところがあるため、ユーザーは楽曲をじっくりと聴き、購入すべきかどうかを
しっかりと吟味した上でＣＤを購入することができる。
【０００３】
最近では、インターネットの爆発的な普及と、通信インフラのブロードバンド化に伴っ
て、データ容量が比較的大きい楽曲データの配信サービスを容易に行うことができるよう
になり、配信サービスを提供するサイトから楽曲データを購入して、パソコン等で楽曲デ
ータをダウンロードし、そのままパソコン上で再生したり、携帯型プレーヤーへ移して楽
曲を楽しむようになってきた（例えば、下記の特許文献１参照）。
【０００４】
ところが、サイトから楽曲データを購入する場合には、楽曲をじっくりと聴き、購入す
べきかどうかをしっかりと吟味することができないという問題がある。というのは、サイ
ト上で１曲分すべて試聴できるようにするというのは、１曲分すべての楽曲データをダウ
ンロードすることになり、無料提供することになるからである。
【０００５】
そのため、楽曲を実際に購入した者以外へは、楽曲データの一部分のみ送信するように
し、楽曲の一部分しか試聴できないようにしている。しかしながら、これでは１曲すべて
を聴くことができないため、購入すべきかどうかを十分に吟味できないおそれがある。こ
れは、サービスを受ける側、サービスを提供する側のいずれにとっても嬉しいことではな
い。
【特許文献１】特開２０００−３３１０２５号公報
【発明の開示】
【課題を解決するための手段及びその効果】
【０００６】
本発明は上記課題に鑑みなされたものであって、ユーザーに楽曲を購入すべきかどうか
を十分に吟味させることができる楽曲配信システム、楽曲配信装置、楽曲配信補助装置、
楽曲データ再生装置、及び楽曲配信方法を提供することを目的としている。
【０００７】
上記目的を達成するために本発明に係る楽曲配信システム（１）は、楽曲データの配信
サービスの授受を実施するための楽曲配信システムにおいて、前記楽曲データの送信要求
に応答して、前記楽曲データを送信要求者へ送信する楽曲データ送信手段と、その使用が
制限された、前記楽曲データの再生権限を示す使用制限付き再生キーを送信する再生キー
送信手段と、前記使用制限付き再生キー、及び該使用制限付き再生キーの使用制限情報に
基づいて、使用制限の範囲内で前記楽曲データの再生を制御する再生制御手段とを備える
と共に、前記楽曲データ送信手段が、楽曲配信装置に装備されるものであり、前記再生キ
ー送信手段が、前記楽曲配信装置とは異なる楽曲配信補助装置に装備されるものであり、
前記再生制御手段が、楽曲データ再生装置に装備されるものであることを特徴としている
。
【０００８】
上記楽曲配信システム（１）によれば、前記使用制限付き再生キー、及び該使用制限付
き再生キーの使用制限情報に基づいて、使用制限の範囲内で前記楽曲データの再生が制御
される。すなわち、その使用に制限（例えば、使用期間の制限、使用回数の制限）はある
が、前記使用制限付き再生キーを取得していれば、前記楽曲データを再生することができ
る。
【０００９】
これにより、１曲分すべての前記楽曲データを配信するようにしても、その楽曲データ
の再生は制限されるため、無料提供することにならない。また、ユーザーについても楽曲
をじっくりと聴き、購入すべきかどうかをしっかりと吟味することができる。従って、楽
曲配信サービスを受ける側、楽曲配信サービスを提供する側のいずれにとっても好ましい
システムを実現することができる。
【００１０】
また、前記楽曲データ送信手段が装備される前記楽曲配信装置としては、楽曲配信サー
ビスを提供する音楽サーバーが挙げられる。また、前記再生キー送信手段が装備される前
記楽曲配信補助装置としては、放送局に設置される装置や、楽曲配信サービスを提供する
サーバーとは別のサーバーなどが挙げられる。
【００１１】
従って、前記使用制限付き再生キーを取得するには、楽曲配信サービスを提供する音楽
サーバーへアクセスするだけでなく、あるＦＭ放送局を受信したり、前記音楽サーバーと
は別のサーバーへアクセスする必要が生じる。これにより、楽曲配信サービスを提供する
サーバーと、放送局や別のサーバーとの間で連携したビジネスを展開することができる。
【００１２】
例えば、新曲「いろはにほ」の販売促進キャンペーンとして、ある放送局から新曲「い
ろはにほ」の楽曲データの再生権限を示す前記使用制限付き再生キー、及び該使用制限付
き再生キーの使用制限を示す前記使用制限情報（例えば、使用可能期間）を含む再生デー
タを放送波に乗せて発信するようにし、当該放送局のリスナーが前記使用制限付き再生キ
ーを取得できるようにする。これにより、当該放送局の聴取率を上昇させることができる
。また、同様に別のサーバーから前記再生データを取得できるようにすれば、前記別のサ
ーバーへのアクセス数を増やすことができる。
【００１３】
また、本発明に係る楽曲配信システム（２）は、上記楽曲配信システム（１）において
、前記使用制限情報に、前記使用制限付き再生キーの使用可能期間が含まれ、前記再生制
御手段が、前記使用可能期間内に限定して前記楽曲データを再生するものであることを特
徴としている。
【００１４】
上記楽曲配信システム（２）によれば、前記楽曲配信装置（例えば、楽曲配信サービス
を提供するサーバー）から送信される前記楽曲データの再生をある期間内に限定すること
ができる。これにより、ユーザーはその期間内において楽曲を購入すべきかどうかをしっ
かりと吟味することができる。
【００１５】
また、本発明に係る楽曲配信システム（３）は、上記楽曲配信システム（１）又は（２
）において、前記使用制限付き再生キーが、各楽曲毎、又は各楽曲が属するグループ毎に
設定されていることを特徴としている。
【００１６】
上記楽曲配信システム（３）によれば、前記使用制限付き再生キーが、各楽曲毎、又は
各楽曲が属するグループ毎に設定されている。これにより、各楽曲毎に使用期間を設定し
たり、又は複数の楽曲をまとめて使用期間を設定することなどができる。
【００１７】
また、本発明に係る楽曲配信システム（４）は、上記楽曲配信システム（１）〜（３）
のいずれかにおいて、前記再生キー送信手段が、放送波に乗せて前記使用制限付き再生キ
ーを送信するものであることを特徴としている。
【００１８】
上記楽曲配信システム（４）によれば、比較的容易に広範囲に前記使用制限付き再生キ
ーを送信することができる。また、例えば、ある楽曲がオンエアされている場合、ＦＭ多
重技術を用いて、当該楽曲に対応する楽曲データの前記使用制限付き再生キーを送信する
ようにすれば、リスナーは聴取している楽曲に対応する楽曲データの前記使用制限付き再
生キーを取得することができることになる。
【００１９】
また、本発明に係る楽曲配信システム（５）は、上記楽曲配信システム（４）において
、前記使用制限付き再生キーを乗せた放送波を受信する受信手段と、該受信手段で受信し
た放送波に乗っていた前記使用制限付き再生キーを蓄積手段に格納する格納手段とを備え
ると共に、前記受信手段と前記格納手段とが、前記楽曲データ再生装置に装備されるもの
であることを特徴としている。
【００２０】
上記楽曲配信システム（５）によれば、前記受信手段で受信した放送波に乗っていた前
記使用制限付き再生キーを前記蓄積手段に格納することができる。これにより、例えば、
ＦＭ多重技術を用いて、ラジオ番組オンエア中の楽曲に対応する楽曲データの前記使用制
限付き再生キーが送信されてくるようになっていれば、リスナーは聴取している楽曲に対
応する楽曲データの前記使用制限付き再生キーを取得することができる。
従って、番組オンエア中には、繰り返し聴くことのできない楽曲であったとしても、楽
曲配信サービスを提供しているサーバーにアクセスし、当該楽曲の楽曲データをダウンロ
ードすることによって、当該楽曲を繰り返し聴くことができる。
【００２１】
また、本発明に係る楽曲配信システム（６）は、上記楽曲配信システム（５）において
、前記受信手段が、複数のチャンネルから送信される放送波を一度に受信可能に構成され
ていることを特徴としている。
【００２２】
上記楽曲配信システム（６）によれば、前記受信手段が複数のチャンネルから送信され
る放送波を一度に受信可能に構成されているので、実際に聴取している番組の放送波に乗
せて送信されてくる前記使用制限付き再生キーだけでなく、裏番組の放送波に乗せて送信
されてくる前記使用制限付き再生キーについても、前記蓄積手段に蓄積することができる
。
【００２３】
また、本発明に係る楽曲配信システム（７）は、上記楽曲配信システム（６）において
、ユーザーが操作する入力手段を介して入力された選択情報に基づいて、前記蓄積手段へ
格納すべき前記使用制限付き再生キーの送信元を１つ又は２つ以上設定する送信元設定手
段を備えると共に、前記格納手段が、前記送信元設定手段により設定された送信元からの
放送波に乗っていた前記使用制限付き再生キーだけを前記蓄積手段に格納するものであり
、前記送信元設定手段が、前記楽曲データ再生装置に装備されるものであることを特徴と
している。
【００２４】
上記楽曲配信システム（７）によれば、裏番組の放送波に乗せて送信されてくる全ての
前記使用制限付き再生キーではなく、ユーザーお気に入りの番組や放送局から送信されて
くる前記使用制限付き再生キーだけを前記蓄積手段に蓄積させることができる。これによ
り、必要のない前記使用制限付き再生キーが前記蓄積手段に蓄積され、検索等に手間がか
かるのを防止することができる。
【００２５】
また、本発明に係る楽曲配信システム（８）は、上記楽曲配信システム（１）〜（７）
のいずれかにおいて、前記再生キー送信手段が、その使用制限を示す前記使用制限情報を
付加して前記使用制限付き再生キーを送信するものであることを特徴としている。
【００２６】
上記楽曲配信システム（８）によれば、その使用制限を示す前記使用制限情報を付加し
て前記使用制限付き再生キーが送信される。これにより、前記使用制限情報を前記楽曲デ
ータごとに統一しなくても（すなわち、前記楽曲データを送信する側の事情で設定しなく
ても）、前記使用制限付き再生キーを送信する側の事情で設定することができる。例えば
、使用期間を前記使用制限付き再生キーの送信開始から１週間などと設定することができ
る。
【００２７】
また、本発明に係る楽曲配信システム（９）は、上記楽曲配信システム（１）〜（８）
のいずれかにおいて、前記楽曲データの購入要求に応答して、使用制限の解除権限を示す
解除権限情報を購入要求者へ送信する解除権限情報送信手段と、前記解除権限情報に基づ
いて、前記使用制限情報を無効とする無効手段とを備えると共に、前記解除権限情報送信
手段が、前記楽曲配信装置に装備されるものであり、前記無効手段が、前記楽曲データ再
生装置に装備されるものであることを特徴としている。
【００２８】
上記楽曲配信システム（９）によれば、前記解除権限情報に基づいて、前記使用制限情
報が無効とされ、該使用制限情報に基づいた再生制御が禁止される。すなわち、前記解除
権限情報を取得していれば、前記楽曲データを無制限に再生することができる。
また、ユーザーからの前記楽曲データの購入要求に応答して、前記楽曲データの前記解
除権限情報が送信される。すなわち、楽曲を購入することによって、前記楽曲データを無
制限に再生することができるようになる。また、前記楽曲データそのものについては再度
送信する必要はないため、通信処理を軽減することができ、また、ユーザーが使用する側
の端末に装備される記憶装置に、同じ楽曲データが記憶されるのを防止することができる
。
【００２９】
また、本発明に係る楽曲配信装置（１）は、上記楽曲配信システム（１）〜（９）のい
ずれかを構成する楽曲配信装置であって、前記楽曲データの送信要求に応答して、前記楽
曲データを要求者へ送信するものであることを特徴としている。
【００３０】
上記楽曲配信装置（１）によれば、ユーザーからの前記楽曲データの送信要求に応答し
て、前記楽曲データが送信される。これにより、ユーザーに対して楽曲をじっくりと聴き
、購入すべきかどうかの十分に吟味できる機会を提供することができる。
【００３１】
また、本発明に係る楽曲配信補助装置（１）は、上記楽曲配信システム（１）〜（９）
のいずれかを構成する楽曲配信補助装置であって、その使用が制限された、前記楽曲デー
タの再生権限を示す前記使用制限付き再生キーを送信するものであることを特徴としてい
る。
【００３２】
上記楽曲配信補助装置（１）によれば、その使用が制限された、前記楽曲データの再生
権限を示す前記使用制限付き再生キーが送信される。この上記楽曲配信補助装置（１）を
放送局や楽曲配信サービスを提供するサーバーとは別のサーバーで採用することによって
、音楽配信サービスと連携した新しいビジネスを展開することができ、聴取率の上昇やサ
ーバーへのアクセス数を上昇させることができる。
【００３３】
また、本発明に係る楽曲データ再生装置（１）は、上記楽曲配信システム（１）〜（９
）のいずれかを構成する楽曲データ再生装置であって、前記使用制限付き再生キー、及び
該使用制限付き再生キーの使用制限情報に基づいて、使用制限の範囲内で前記楽曲データ
の再生を制御するものであることを特徴としている。
【００３４】
上記楽曲データ再生装置（１）によれば、前記使用制限付き再生キー、及び該使用制限
付き再生キーの使用制限情報に基づいて、使用制限の範囲内で前記楽曲データの再生が制
御される。すなわち、その使用に制限（例えば、使用期間の制限、使用回数の制限）はあ
るが、前記使用制限付き再生キーを取得していれば、前記楽曲データを再生することがで
きる。これにより、ユーザーに楽曲をじっくりと聴き、購入すべきかどうかをしっかりと
吟味することができる機会を与えることができる。
【００３５】
また、本発明に係る楽曲配信方法（１）は、楽曲データの配信サービスの授受を実施す
るための楽曲配信方法において、その使用が制限された、前記楽曲データの再生権限を示
す使用制限付き再生キー、及び該使用制限付き再生キーの使用制限情報に基づいて、使用
制限の範囲内で前記楽曲データの再生を制御し、前記楽曲データの送信元と、前記使用制
限付き再生キーの送信元とを異なるものにすることを特徴としている。
【００３６】
上記楽曲配信方法（１）によれば、前記使用制限付き再生キー、及び該使用制限付き再
生キーの使用制限情報に基づいて、使用制限の範囲内で前記楽曲データの再生を制御する
。すなわち、その使用に制限（例えば、使用期間の制限、使用回数の制限）はあるが、前
記使用制限付き再生キーを取得していれば、前記楽曲データを再生することができる。
【００３７】
これにより、１曲分すべての前記楽曲データを配信するようにしても、その楽曲データ
の再生を制限するため、無料提供することにならない。また、ユーザーについても楽曲を
じっくりと聴き、購入すべきかどうかをしっかりと吟味することができる。従って、楽曲
配信サービスを受ける側、楽曲配信サービスを提供する側のいずれにとっても好ましいシ
ステムを実現することができる。
【００３８】
また、前記楽曲データの送信元としては、楽曲配信サービスを提供する音楽サーバーが
挙げられる。また、前記使用制限付き再生キーの送信元としては、放送局や、楽曲配信サ
ービスを提供するサーバーとは別のサーバーなどが挙げられる。従って、前記使用制限付
き再生キーを取得するには、楽曲配信サービスを提供する音楽サーバーへアクセスするだ
けでなく、あるＦＭ放送局を受信したり、前記音楽サーバーとは別のサーバーへアクセス
する必要が生じる。これにより、楽曲配信サービスを提供するサーバーと、放送局や別の
サーバーとの間で連携したビジネスを展開することができる。
【発明を実施するための最良の形態】
【００３９】
以下、本発明に係る楽曲配信システム、楽曲配信装置、楽曲配信補助装置、楽曲データ
再生装置、及び楽曲配信方法の実施の形態を図面に基づいて説明する。図１は、実施の形
態（１）に係る楽曲配信システムを示した概略図である。
【００４０】
図中１は、ユーザーが使用するユーザー端末装置（本発明に係る楽曲データ再生装置）
を示している。ユーザー端末装置１はインターネットＮＴに接続可能に構成され、インタ
ーネットＮＴを介して、楽曲配信サービスを提供するサーバー１１（本発明に係る楽曲配
信装置）との間で情報のやり取りを行うことができるようになっている。例えば、サーバ
ー１１から配信される楽曲データを受信することができるようになっている。
【００４１】
また、ユーザー端末装置１はラジオ放送を受信可能に構成され、各放送局（本発明に係
る楽曲配信補助装置）２１から発信される放送波を受信することができるようになってい
る。放送局２１からは通常の番組（例えば、音楽番組、スポーツ番組）だけでなく、ＦＭ
多重技術を利用して、サーバー１１から配信される楽曲データの再生権限を示す使用制限
付き再生キーを含む楽曲情報（図２参照）が送信されるようになっており、ユーザー端末
装置１ではこの楽曲情報を受信することができるようになっている。
【００４２】
図２に、放送局２１から送信される楽曲情報のフォーマットの一例を示す。楽曲情報は
各楽曲を識別するための識別コードと、曲名と、アーティスト名と、再生キー情報（当該
楽曲の楽曲データの再生権限を示す使用制限付き再生キー、及び該使用制限付き再生キー
の使用制限を示す使用制限情報）とを含んで構成されている。
【００４３】
また、この使用制限付き再生キーは、そのデータ構造が楽曲データの一部となっており
、前記使用制限付き再生キーが無ければ、楽曲データを再生することができないようにな
っている。すなわち、サーバー１１から配信される楽曲データは完全ではなく、前記使用
制限付き再生キーの部分が欠けていることになる。図３は、楽曲データを摸式的に示した
図である。
【００４４】
なお、ここでは前記使用制限付き再生キーを楽曲データの一部としているが、別の実施
の形態では、前記使用制限付き再生キーを楽曲データの一部としないデータ構造にしても
良い。また、さらに別の実施の形態では、前記使用制限付き再生キーを各楽曲毎ではなく
、各グループ毎に設定するようにしても良い。
【００４５】
図４は、実施の形態（１）に係る楽曲配信システムを構成する各構成要素を詳しく示し
たブロック図である。ユーザー端末装置１は図示しないＣＰＵ、ＲＯＭ、ＲＡＭなどを有
したマイコン２と、記憶部３と、表示制御部４と、ディスプレイ５と、再生制御部６と、
スピーカ７と、入力操作部８と、インターネットＮＴを介してサーバー１１との間での情
報のやり取りを実現するための通信インターフェース９と、放送局２１から発信される放
送波を受信するための放送受信機１０とを含んで構成されている。また、マイコン２と、
記憶部３と、表示制御部４と、再生制御部６と、入力操作部８と、通信インターフェース
９と、放送受信機１０とは通信バスラインＢＬ１を介して接続されている。
【００４６】
サーバー１１は図示しないＣＰＵ、ＲＯＭ、ＲＡＭなどを有したマイコン１２と、楽曲
データが記憶された楽曲データベース（ＤＢ）１３と、楽曲データの無制限の再生権限を
示す使用無制限再生キー（本発明における解除権限情報に対応）が記憶された再生キーデ
ータベース１４と、インターネットＮＴを介してユーザー端末装置１との間での情報のや
り取りを実現するための通信インターフェース１５とを含んで構成されている。また、こ
れら各構成要素は通信バスラインＢＬ２を介して接続されている。
【００４７】
図５に、楽曲データベース１３に記憶されているデータフォーマットの一例を示す。図
５に示したように、各楽曲を識別するための識別コードに対応付けて、各楽曲の楽曲デー
タが記憶されている。図６に、再生キーデータベース１４に記憶されているデータフォー
マットの一例を示す。図６に示したように、各楽曲を識別するための識別コードに対応付
けて、再生キー情報（当該楽曲の楽曲データの再生権限を示す使用無制限再生キー、及び
該使用無制限再生キーの使用制限が無制限であることを示した無制限情報）が記憶されて
いる。
【００４８】
ユーザー端末装置１からある楽曲の楽曲データの送信要求があると、サーバー１１は当
該楽曲の楽曲データを楽曲データベース１３から読み出し、ユーザー端末装置１へ送信す
るようになっている。また、ユーザー端末装置１からある楽曲の購入要求があると、サー
バー１１は当該楽曲の楽曲データの無制限の再生権限を示す使用無制限再生キーを再生キ
ーデータベース１４から読み出し、ユーザー端末装置１へ送信するようになっている。
【００４９】
放送局２１は図示しないＣＰＵ、ＲＯＭ、ＲＡＭなどを有したマイコン２２と、楽曲情
報（図２参照）が記憶された楽曲情報データベース２３と、放送波を発信するための送信
機２４とを含んで構成されている。また、これら各構成要素は通信バスラインＢＬ３を介
して接続されている。放送局２１は、楽曲情報データベース２３から、楽曲データの再生
権限を示す使用制限付き再生キーを含む楽曲情報を読み出し、ＦＭ多重技術を利用して、
前記楽曲情報を通常の番組と一緒に送信するようになっている。例えば、ある楽曲がオン
エアされている場合、その楽曲の楽曲データに対する使用制限付き再生キーを送信すると
いったことが考えられる。
【００５０】
図７に、楽曲情報データベース２３に記憶されているデータフォーマットの一例を示す
。図７に示したように、各楽曲を識別するための識別コードに対応付けて、曲名と、アー
ティスト名と、再生キー情報（当該楽曲の楽曲データの再生権限を示す使用制限付き再生
キー、及び該使用制限付き再生キーの使用制限を示す使用制限情報）とが記憶されている
。
【００５１】
後で詳しく説明するが、ユーザー端末装置１は、図８に示したように、放送局２１から
送信されてきた楽曲情報（曲名、アーティスト名、使用制限付き再生キーを含む再生キー
情報）と、サーバー１１から送信されてきた、使用無制限再生キーを含む再生キー情報と
を識別コード毎に記憶部３に格納するようになっている。また、ユーザー端末装置１は、
図９に示したように、サーバー１１から送信されてきた楽曲データを識別コード毎に記憶
部３に格納するようになっている。
【００５２】
次に、実施の形態（１）に係る楽曲配信システムを構成するユーザー端末装置１におけ
るマイコン２の行う処理動作［１−１］を図１０に示したフローチャートに基づいて説明
する。なお、この処理動作［１−１］は所定周期毎に行われるようになっている。まず、
放送受信機１０で受信した情報に楽曲情報（図２参照）が含まれているか否かを判断する
（ステップＳ１）。
【００５３】
楽曲情報が含まれていると判断すれば、楽曲情報に含まれている識別コードに基づいて
記憶部３（図８参照）を検索し、受信した楽曲情報が新たに取得したものであるか否かを
判断する（ステップＳ２）。一方、楽曲情報が含まれていないと判断すれば、そのまま処
理動作［１−１］を終了する。
【００５４】
受信した楽曲情報が新たに取得したものであると判断すれば、当該楽曲情報を受信日時
情報と一緒に記憶部３（図８参照）に格納する（ステップＳ３）。一方、受信した楽曲情
報が新たに取得したものでない（すなわち、既に記憶部３に格納されている）と判断すれ
ば、そのまま処理動作［１−１］を終了する。
【００５５】
次に、実施の形態（１）に係る楽曲配信システムを構成するユーザー端末装置１におけ
るマイコン２の行う処理動作［１−２］を図１１に示したフローチャートに基づいて説明
する。なお、この処理動作［１−２］は所定周期毎に行われるようになっている。まず、
ユーザーにより入力操作部８を介して、記憶部３に記憶されている楽曲情報の提示が要求
されたか否かを判断する（ステップＳ１１）。
【００５６】
ユーザーにより楽曲情報の提示が要求されたと判断すれば、『リスト作成』処理（図１
３参照）を実行し（ステップＳ１２）、図１２に示したように、作成したリストの全部又
はその一部をディスプレイ５に表示するように表示制御部４を制御する（ステップＳ１３
）。一方、ユーザーにより楽曲情報の提示が要求されていないと判断すれば、そのまま処
理動作［１−２］を終了する。
【００５７】
図１２は、リストの一部を示した図である。
曲名「あいうえお」、アーティスト「ＡＢＣＤ」の情報欄には、「再生」ボタンが表示
されている。
曲名「かきくけこ」、アーティスト「ＥＦＧＨ」の情報欄には、「再生」ボタン、「購
入」ボタン、さらには「再生キーの有効期間：2005／03／20」が表示されている。
曲名「さしすせそ」、アーティスト「ＩＪＫＬ」の情報欄には、「購入」ボタン、「消
去」ボタン、及び「再生キーの有効期間：有効期限切れ」が表示されている。
曲名「たちつてと」、アーティスト「ＭＮＯＰ」の情報欄には、「ダウンロード」ボタ
ン、「消去」ボタン、及び「再生キーの有効期間：2005／03／25」が表示されている。
曲名「なにぬねの」、アーティスト「ＱＲＳＴ」の情報欄には、「ダウンロード」ボタ
ン、「消去」ボタン、及び「再生キーの有効期間：有効期限切れ」が表示されている。
【００５８】
次に、ユーザーにより入力操作部８を介して、「再生」ボタンが選択されたか否かを判
断する（ステップＳ１４）。「再生」ボタンが選択されたと判断すれば、当該楽曲の識別
コードに基づいて記憶部３から楽曲データを読み出し（ステップＳ１５）、読み出した楽
曲データを再生するように再生制御部４を制御する（ステップＳ１６）。
【００５９】
一方、「再生」ボタンは選択されていないと判断すれば、次に、ユーザーにより入力操
作部８を介して、「ダウンロード」ボタンが選択されたか否かを判断する（ステップＳ１
７）。「ダウンロード」ボタンが選択されたと判断すれば、サーバー１１に対してアクセ
スし（ステップＳ１８）、当該楽曲の識別コードに楽曲データの送信要求コードを付加し
たデータをサーバー１１へ送信し、楽曲データの送信を要求する（ステップＳ１９）。
【００６０】
サーバー１１から送信されてきた、前記要求に応じた楽曲データを受信したか否かを判
断し（ステップＳ２０）、前記要求に応じた楽曲データを受信したと判断すれば、受信し
た楽曲データを識別コードに対応付けて記憶部３（図９参照）に格納する（ステップＳ２
０）。
【００６１】
また、ステップＳ１７において、「ダウンロード」ボタンは選択されていないと判断す
れば、次に、ユーザーにより入力操作部８を介して、「購入」ボタンが選択されたか否か
を判断する（ステップＳ２２）。「購入」ボタンが選択されたと判断すれば、サーバー１
１に対してアクセスし（ステップＳ２３）、当該楽曲の識別コードに楽曲購入要求コード
を付加したデータをサーバー１１へ送信し、楽曲購入を要求する（ステップＳ２４）。
【００６２】
サーバー１１から送信されてきた、前記要求に応じた楽曲に対応する再生キー情報（当
該楽曲の楽曲データの再生権限を示す使用無制限再生キー、及び該使用無制限再生キーの
使用制限が無制限であることを示した無制限情報）を受信したか否かを判断する（ステッ
プＳ２５）。前記要求に応じた楽曲に対応する再生キー情報を受信したと判断すれば、受
信した再生キー情報を識別コードに対応付けて記憶部３（図８参照）に格納する（ステッ
プＳ２６）。
【００６３】
また、ステップＳ２２において、「購入」ボタンは選択されていないと判断すれば、次
に、ユーザーにより入力操作部８を介して、「消去」ボタンが選択されたか否かを判断す
る（ステップＳ２７）。「消去」ボタンが選択されたと判断すれば、当該楽曲の楽曲情報
、及び楽曲データ等を記憶部３から消去し（ステップＳ２８）、その後、ステップＳ１３
へ戻る。一方、「消去」ボタンは選択されていないと判断すれば、そのままステップＳ１
３へ戻る。
【００６４】
マイコン２の行う『リスト作成』処理（図１１のステップＳ１２）を、図１３に示した
フローチャートを使って説明する。記憶部３に記憶されている楽曲情報を受信日時順に検
索し（ステップＳ３１）、リストに加えるべき楽曲情報が残っているか否かを判断する（
ステップＳ３２）。
【００６５】
リストに加えるべき楽曲情報が残っていると判断すれば、次にリストに加えるべき楽曲
情報に含まれている識別コードに基づいて記憶部３を検索し、当該楽曲の楽曲データが記
憶部３（図９参照）に記憶されているか否かを判断する（ステップＳ３３）。当該楽曲の
楽曲データが記憶部３に記憶されていると判断すれば、次に、当該楽曲データに対する使
用無制限再生キーが記憶されているか否かを判断する（ステップＳ３４）。一方、ステッ
プＳ３２において、リストに加えるべき楽曲情報が残っていないと判断すれば、リスト作
成が完了したことになるため、『リスト作成』処理を終了する。
【００６６】
ステップＳ３４において、当該楽曲データに対する使用無制限再生キーが記憶されてい
る（すなわち、当該楽曲データを無制限に再生することができる）と判断すれば、当該楽
曲の情報欄に「再生」ボタンが表示されるようにし（ステップＳ３５）、その後、ステッ
プＳ３１へ戻る。図１２に示したように、曲名「あいうえお」、アーティスト「ＡＢＣＤ
」の情報欄には、「再生」ボタンが表示され、再生可能になっている。
【００６７】
一方、当該楽曲データに対する使用無制限再生キーは記憶されていない（すなわち、当
該楽曲データの再生には制限が加えられている）と判断すれば、次に、使用制限付き再生
キーの使用制限を示す使用制限情報（図８参照）に基づいて、当該楽曲データの再生可能
な期間内であるか否かを判断する（ステップＳ３６）。
【００６８】
再生可能な期間内であると判断すれば、当該楽曲の情報欄に再生キー有効期間、そして
「再生」ボタン、及び「購入」ボタンが表示されるようにし（ステップＳ３７、Ｓ３８）
、その後、ステップＳ３１へ戻る。図１２に示したように、曲名「かきくけこ」、アーテ
ィスト「ＥＦＧＨ」の情報欄には、「再生」ボタン、及び「購入」ボタンが表示され、さ
らに「再生キーの有効期間：2005／03／20」が表示されている。
【００６９】
一方、再生可能な期間内でないと判断すれば、当該楽曲の情報欄に再生キーの有効期限
が切れていること、そして「購入」ボタン、「消去」ボタンが表示されるようにし（ステ
ップＳ３９、Ｓ４０）、その後、ステップＳ３１へ戻る。図１２に示したように、曲名「
さしすせそ」、アーティスト「ＩＪＫＬ」の情報欄には、「購入」ボタン、「消去」ボタ
ンが表示され、さらに「再生キーの有効期間：有効期限切れ」が表示されている。
【００７０】
また、ステップＳ３３において、当該楽曲の楽曲データが記憶部３に記憶されていない
と判断すれば、次に、使用制限付き再生キーの使用制限を示す使用制限情報（図８参照）
に基づいて、当該楽曲データの再生可能な期間内であるか否かを判断する（ステップＳ４
１）。
【００７１】
再生可能な期間内であると判断すれば、当該楽曲の情報欄に再生キー有効期間、そして
「ダウンロード」ボタン、「消去」ボタンが表示されるようにし（ステップＳ４２、Ｓ４
３）、その後、ステップＳ３１へ戻る。図１２に示したように、曲名「たちつてと」、ア
ーティスト「ＭＮＯＰ」の情報欄には、「ダウンロード」ボタン、「消去」ボタンが表示
され、さらに「再生キーの有効期間：2005／03／25」が表示されている。
【００７２】
一方、再生可能な期間内でないと判断すれば、当該楽曲の情報欄に再生キーの有効期限
が切れていること、そして「ダウンロード」ボタン、「消去」ボタンが表示されるように
し（ステップＳ４４、Ｓ４３）、その後、ステップＳ３１へ戻る。図１２に示したように
、曲名「なにぬねの」、アーティスト「ＱＲＳＴ」の情報欄には、「ダウンロード」ボタ
ン、「消去」ボタンが表示され、さらに「再生キーの有効期間：有効期限切れ」が表示さ
れている。
【００７３】
次に、実施の形態（１）に係る楽曲配信システムを構成するサーバー１１におけるマイ
コン１２の行う処理動作［２−１］を図１４に示したフローチャートに基づいて説明する
。なお、この処理動作［２−１］は所定周期毎に行われるようになっている。まず、ユー
ザー端末装置１から送信されてくる、識別コードに楽曲データの送信要求コードが付加さ
れたデータを受信したか否かを判断する（ステップＳ５１）。
【００７４】
前記データを受信した（すなわち、ユーザーより楽曲データの送信が要求されている）
と判断すれば、楽曲データベース１３から識別コードに基づいて該当する楽曲データを読
み出し（ステップＳ５２）、読み出した楽曲データをユーザー端末装置１へ送信する（ス
テップＳ５３）。
【００７５】
次に、実施の形態（１）に係る楽曲配信システムを構成するサーバー１１におけるマイ
コン１２の行う処理動作［２−２］を図１５に示したフローチャートに基づいて説明する
。なお、この処理動作［２−２］は所定周期毎に行われるようになっている。まず、ユー
ザー端末装置１から送信されてくる、識別コードに楽曲購入要求コードが付加されたデー
タを受信したか否かを判断する（ステップＳ６１）。
【００７６】
前記データを受信した（すなわち、ユーザーより楽曲購入が要求されている）と判断す
れば、再生キーデータベース１４から識別コードに基づいて該当する再生キー情報を読み
出し（ステップＳ６２）、読み出した再生キー情報をユーザー端末装置１へ送信する（ス
テップＳ６３）。
【００７７】
上記実施の形態（１）に係る楽曲配信システムによれば、放送局２１はある楽曲を放送
する場合、当該楽曲の楽曲データに対する使用制限付き再生キーを含む再生キー情報を放
送波に乗せて一緒に送信することができる。ユーザー端末装置１では、オンエアされてい
る楽曲をスピーカ７から出力するだけでなく、記憶部３に当該楽曲データの再生キー情報
を格納することができる。
【００７８】
ユーザー端末装置１は、オンエアされた楽曲の楽曲データをサーバー１１からダウンロ
ードすることができ、ダウンロードした楽曲データについては、使用制限付き再生キーを
使用して再生することができる。但し、その使用は制限されている。すなわち、その使用
に制限はあるが、前記楽曲データを再生することができる。
【００７９】
これにより、サーバー１１から１曲分すべての楽曲データを配信したとしても、その楽
曲データの再生は制限されるため、無料提供されることにはならない。また、ユーザーに
ついても、楽曲をじっくりと聴き、購入すべきかどうかをしっかりと吟味することができ
る。従って、楽曲配信サービスを提供する側、楽曲配信サービスを提供する側のいずれに
とっても好ましいシステムを実現することができる。
【００８０】
また、ユーザーは楽曲を購入することによって、使用無制限再生キーを取得することが
でき、制限無く前記楽曲データを再生することができる。また、楽曲データそのものにつ
いては、サーバー１１は再度送信する必要はないため、通信処理を軽減することができる
。ユーザー端末装置１の記憶部３にも、同じ楽曲データが重複して記憶されるのを防止す
ることができる。
【００８１】
なお、別の実施の形態に係る楽曲配信システムでは、ユーザー端末装置１において、放
送受信機１０が複数の放送局２１（チャンネル）から送信される放送波を一度に受信可能
に構成されている場合、実際に聴取している場合の放送波に乗せて送信されてくる再生キ
ー情報だけでなく、別の放送波（いわゆる、裏番組の放送波）に乗せて送信されてくる前
記再生キー情報についても、記憶部３に格納するようにしても良い。これにより、聴取で
きる楽曲数を増やすことができる。
【００８２】
また、さらに別の実施の形態に係る楽曲配信システムでは、入力操作部８を介して、放
送局２１を１つ又は２つ以上選択できるようにし、選択された放送局２１から送信されて
きた放送波に乗っていた前記再生キー情報だけを記憶部３に格納するようにしても良い。
これにより、ユーザーの気に入っている放送局２１から送信されてきた前記再生キー情報
だけを記憶部３に格納することができる。
【００８３】
また、このようなシステムが実現されると、各放送局は前記再生キー情報の送信に様々
な工夫を施すことが考えられる。例えば、音楽ジャンルを特定するなどの特色を出すこと
が考えられる。従って、上記したように、お気に入りの放送局を選択できるようにするこ
とは非常に大切となる。
【００８４】
また、上記実施の形態（１）に係る楽曲配信システムでは、使用無制限再生キーの使用
制限情報が無制限であることによって、楽曲データの再生の制限を解除するようにしてい
るが、別の実施の形態では、ユーザーによる楽曲購入後、使用制限付き再生キーの使用制
限情報を無制限に変更することによって、前記制限を解除するようにしても良い。
【００８５】
また、上記実施の形態（１）に係る楽曲配信システムでは、ユーザー端末装置１のマイ
コン２で行う処理動作［１−１］、［１−２］は、マイコン２を構成するＲＯＭに記憶さ
れたプログラムに従って行われることになるが、このプログラムについては、例えば、サ
ーバー１１を通じて、ユーザーが楽曲配信サービスを受けるための会員登録をした後など
に、サーバー１１からダウンロードされるようにしても良い。
【図面の簡単な説明】
【００８６】
【図１】本発明の実施の形態（１）に係る楽曲配信システムを示した概略図である。
【図２】放送局から送信される楽曲情報のフォーマットの一例を示した図である。
【図３】楽曲データを摸式的に示した図である。
【図４】実施の形態（１）に係る楽曲配信システムを構成する各構成要素を詳しく示したブロック図である。
【図５】楽曲データベースに記憶されているデータフォーマットの一例を示した図である。
【図６】再生キーデータベースに記憶されているデータフォーマットの一例を示した図である。
【図７】楽曲情報データベースに記憶されているデータフォーマットの一例を示した図である。
【図８】ユーザー端末装置の記憶部における記憶状態の一例を示した図である。
【図９】ユーザー端末装置の記憶部における記憶状態の一例を示した図である。
【図１０】実施の形態（１）に係る楽曲配信システムを構成するユーザー端末装置におけるマイコンの行う処理動作を示したフローチャートである。
【図１１】実施の形態（１）に係る楽曲配信システムを構成するユーザー端末装置におけるマイコンの行う処理動作を示したフローチャートである。
【図１２】実施の形態（１）に係る楽曲配信システムを構成するユーザー端末装置におけるディスプレイに表示される表示の一例を示した図である。
【図１３】実施の形態（１）に係る楽曲配信システムを構成するユーザー端末装置におけるマイコンの行う処理動作を示したフローチャートである。
【図１４】実施の形態（１）に係る楽曲配信システムを構成するサーバーにおけるマイコンの行う処理動作を示したフローチャートである。
【図１５】実施の形態（１）に係る楽曲配信システムを構成するサーバーにおけるマイコンの行う処理動作を示したフローチャートである。
【符号の説明】
【００８７】
１  ユーザー端末装置
２、１２、２２  マイコン
３  記憶部
１０  放送受信機
１１  サーバー
１３  楽曲データベース
１４  再生キーデータベース
２１  放送局
２３  楽曲情報データベース
２４  送信機
【図１】
2007025088.tif 000003
【図２】
2007025088.tif 000004
【図３】
2007025088.tif 000005
【図４】
2007025088.tif 000006
【図５】
2007025088.tif 000007
【図６】
2007025088.tif 000008
【図７】
2007025088.tif 000009
【図８】
2007025088.tif 000010
【図９】
2007025088.tif 000011
【図１０】
2007025088.tif 000012
【図１１】
2007025088.tif 000013
【図１２】
2007025088.tif 000014
【図１３】
2007025088.tif 000015
【図１４】
2007025088.tif 000016
【図１５】
2007025088.tif 000017